(57)【要約】【課題】ユーザの希望通りの動作が可能な空気調和機を安価に提供する。【解決手段】吸込口２１と吹出口２４とを連通する空気流路を有する本体（ケーシング１１）と、吸込口２１から空気流路に空気を取り入れその空気を調和した後に吹出口２４から排出する送風手段（ファン１７）とを備え、送風手段により２段階以上の風量で空調動作を実行可能とした空気調和機において、送風手段による風量を選択する風量選択手段（風量選択操作部）と、選択した風量での実行時間を設定する時間設定手段（切タイマ操作部）とを設け、ユーザが選択した風量および時間で動作させるユーザ設定モードを設けた構成とする。【選択図】図５
2007333359.tif 000002
【特許請求の範囲】
【請求項１】
吸込口と吹出口とを連通する空気流路を有する本体と、前記吸込口から空気流路に空気を取り入れその空気を調和した後に前記吹出口から排出する送風手段とを備え、該送風手段により２段階以上の風量で空調動作を実行可能とした空気調和機において、
前記送風手段による風量を選択する風量選択手段と、選択した風量での実行時間を設定する時間設定手段とを設け、ユーザが選択した風量および時間で動作させるユーザ設定モードを設けたことを特徴とする空気調和機。
【請求項２】
同一の動作を２４時間後に実行させるための繰返設定手段を設けたことを特徴とする請求項１に記載の空気調和機。
【請求項３】
前記繰返設定手段は、前記ユーザ設定モードおよび所定時間後に動作を停止させる切タイマモードの実行時に設定可能であることを特徴とする請求項２に記載の空気調和機。
【発明の詳細な説明】
【技術分野】
【０００１】
本発明は、空気清浄機、除湿機および加湿機などの空気調和機に関するものである。
【背景技術】
【０００２】
空気調和機の１つである空気清浄機は、室内の空気を吸引して清浄した後、その清浄空気を再び室内に循環供給するものである。また、除湿機は、室内の空気を吸引して内部で吸引した空気に含まれる水分を取り除き、除湿した乾燥空気を再び室内に循環供給するものである。また、加湿機は、給水された水を空気と一緒に外部に放散して室内の空気を加湿するものである。
【０００３】
これらの空気調和機は、内部に送風手段であるファンが実装されている。このファンは、急速（強風）、標準（中風）、静音（弱風）など、風量を多段階で変更可能なものを適用している。また、その運転モードとしては、ユーザが風量を選択するマニュアルモードと、センサの検出値に基づいて風量を自動変更する自動モードが搭載されている。さらに、それらの制御を所定時間後に停止するための切タイマモードが搭載されている。
【０００４】
なお、このような空気調和機に関連する先行技術文献情報としては次のものがある。
【０００５】
【特許文献１】特開２００３−４２４９５号公報
【０００６】
しかしながら、この空気調和機では、ユーザの希望に応じた運転を実行することができない。例えば、急速で空気調和を行った後に、静かに空気調和を継続させたい場合には、マニュアルモードを選択し、急速を選択した後に、再び静音を選択する必要がある。なお、自動モードを選択した場合には、制御手段によって自動で風量が変更されるが、センサの検出値に基づくものであるため、ユーザの希望に応じない場合が多い。しかも、自動モードを搭載する場合にはガスセンサやダストセンサを搭載する必要があるうえ、その制御プログラムも複雑になるため、コスト高になるという問題がある。
【発明の開示】
【発明が解決しようとする課題】
【０００７】
本発明は、従来の問題に鑑みてなされたもので、ユーザの希望通りの動作が可能な空気調和機を安価に提供することを課題とするものである。
【課題を解決するための手段】
【０００８】
前記課題を解決するため、本発明の空気調和機は、吸込口と吹出口とを連通する空気流路を有する本体と、前記吸込口から空気流路に空気を取り入れその空気を調和した後に前記吹出口から排出する送風手段とを備え、該送風手段により２段階以上の風量で空調動作を実行可能とした空気調和機において、前記送風手段による風量を選択する風量選択手段と、選択した風量での実行時間を設定する時間設定手段とを設け、ユーザが選択した風量および時間で動作させるユーザ設定モードを設けた構成としている。
【０００９】
この空気調和機では、同一の動作を２４時間後に実行させるための繰返設定手段を設けることが好ましい。
また、前記繰返設定手段は、前記ユーザ設定モードおよび所定時間後に動作を停止させる切タイマモードの実行時に設定可能であることが好ましい。
【発明の効果】
【００１０】
本発明の空気調和機では、ユーザが選択した風量および時間で動作させるユーザ設定モードを設けているため、ユーザの希望通りの運転を実現できる。また、繰返設定手段により２４時間後に同一の動作を実行させることができるため、毎日のように使用する場合に利便性の向上を図ることができる。
【発明を実施するための最良の形態】
【００１１】
以下、本発明の実施の形態を図面に従って説明する。
【００１２】
図１から図３は、本発明の実施形態に係る空気調和機である空気清浄機１０を示す。この空気清浄機１０は機械集塵式であり、ファン１７を動作させることにより室内に浮遊する粉塵やガスを含んだ空気を本体であるケーシング１１内に吸引し、清浄フィルタ１６を通して吸引した空気を清浄（調和）した後、その清浄した空気をケーシング１１の外部に循環供給するものである。
【００１３】
前記ケーシング１１は、前後部を開口したベース１２と、該ベース１２の前側開口を遮蔽する前カバー２０と、前記ベース１２の後側開口閉鎖する後カバー２２とからなる。
【００１４】
前記ベース１２は、図４に示すように、前後を仕切る仕切板１３を備えている。この仕切板１３には、多数の通気孔１４が形成されるとともに、ファン１７を囲繞する略渦形状の隔板１５が一体に設けられている。このベース１２には、前記仕切板１３によって区画された前側に清浄フィルタ１６が配設され、後側の隔板１５内にファン１７が配設されている。送風手段であるこのファン１７は、駆動手段であるモータ１８を取り付けた中央である軸方向に沿って空気を吸引し、径方向外向きに放出（供給）するシロッコファンからなる。本実施形態では、モータ１８は、従来と同様に急速（強風）、標準（中風）、静音（弱風）の３段階で風量を変更可能なものを適用している。
【００１５】
また、前記隔板１５には、ファン１７を収容する内部に位置するようにマイナスイオン発生装置１９が配設されている。このマイナスイオン発生装置１９は、マイナス電極とプラス電極とで構成され、電圧の印加により両電極間に介在する空気中の微粒子をマイナスイオン化する周知のものである。
【００１６】
前記前カバー２０は、水平方向に延びるスリットからなる多数の吸込口２１を備えている。前記後カバー２２は、ベース１２に取り付けることによって、その内面と前記隔板１５とを当接させてこれらの間をシールするものである。この後カバー２２には、後方に膨出する膨出部２３が設けられ、この膨出部２３の上面に前記ベース１２の隔板１５内と連通する吹出口２４が設けられている。即ち、前記ベース１２において前側の清浄フィルタ１６の配設部から通気孔１４および隔板１５を経て区画された通路が吸込口２１と吹出口２４とを連通する空気流路を構成する。
【００１７】
なお、前記ベース１２において、後側上部には操作基板２５が配設され、その対応部分である前カバー２０の右側上部には操作パネル２９が配設されている。操作基板２５には、入力手段である複数のスイッチ２６ａ〜２６ｄと、表示手段であるＬＥＤ２７および液晶パネル２８が配設されている。また、操作パネル２９は、図５に示すように、その中央上部に前記液晶パネル２８が露出され、その左側にスイッチ２６ａに対応する風量選択操作部３０、および、スイッチ２６ｂに対応する繰返操作部３１が設けられるとともに、右側にスイッチ２６ｃに対応する設定操作部３２、および、スイッチ２６ｄに対応する切タイマ操作部３３が設けられている。また、各操作部３０〜３３の下部に対応するように、その選択状態を示す各ＬＥＤ２７に対応する静音表示部３４、標準表示部３５、急速表示部３６、繰返表示部３７、ユーザ設定表示部３８および切タイマ表示部３９が設けられている。
【００１８】
前記風量選択操作部３０のスイッチ２６ａは、ファン１７による風量を「静音」、「標準」、「急速」、「ユーザ設定」および「切」（運転停止）のいずれかに選択する風量選択手段である。前記繰返操作部３１のスイッチ２６ｂは、同一の動作を２４時間後に実行させるための繰返設定手段である。前記設定操作部３２のスイッチ２６ｃは、ユーザ設定モードの設定（選択）モードに遷移するための選択および設定手段である。前記切タイマ操作部３３のスイッチ２６ｄは、予め設定した時間後に空調動作を停止させる切タイマモードの選択手段、および、ユーザ設定モードにおいてユーザが希望する風量の実行時間を設定する時間設定手段である。
【００１９】
前記ベース１２において、操作基板２５の下部には制御基板４０が配設されている。この制御基板４０に実装されたマイコンは、ユーザのスイッチ操作に応じて、内蔵したＲＯＭに記憶されたプログラムに従って、通常のマニュアルモードである「静音」運転、「標準」運転および「急速」運転、および、ユーザ設定モードである「ユーザ設定」運転を実行し、空調動作を行う。ここで、「静音」運転はファン１７を低速の回転数（400rpm）で連続的に動作させるもので、「標準」運転は標準の回転数（950rpm）で連続的に動作させ、「急速」運転は高速の回転数（1100rpm）で動作させるものである。また、切タイマ操作部３３の操作により切タイマモードが選択されている場合には、その設定時間後に空調動作を停止する。
【００２０】
そして、本実施形態では、センサの検出値に基づいてファン１７による風量を変更する「自動」運転モードの代わりに、ユーザが希望に応じて設定した風量および実行時間で動作させる前記ユーザ設定モードが設けられている。このユーザ設定モードは、ファン１７の停止を含む動作させる風量を希望に応じて組み合わせることができるとともに、風量毎に動作時間を設定可能としたものである。また、本実施形態では、このユーザ設定モードおよび切タイマモードの実行中に、繰返操作部３１のスイッチ２６ｂが操作されると、２４時間後に同一の動作を実行させる繰返モードが設けられている。
【００２１】
前記空気清浄機１０は、電源コードを商用電源に接続することにより、マイコンに電力が投入されると、各スイッチ２６ａ〜２６ｄの入力処理を実行する。
【００２２】
具体的には、風量選択操作部３０によるスイッチ２６ａの操作は、いずれのモード（動作）も実行していない待機モードを含む風量設定状態、ユーザ設定モードの設定状態、および、切タイマモードの実行状態で受け付け、繰返モードの実行状態では受け付けない。そして、風量設定状態では、スイッチ２６ａの操作の度に、ファン１７による風量を「停止」状態から「静音」→「標準」→「急速」→「ユーザ設定」の順番で風量を変更するとともに表示部３４〜３６，３８を点灯させ、この「ユーザ設定」状態で操作されると、「停止」に戻り全ての表示部３４〜３６，３８が消灯される。なお、この風量設定状態中の「静音」運転、「標準」運転および「急速」運転がマニュアルモードであり、「ユーザ設定」運転がユーザ設定モードである。また、切タイマモードの実行状態およびユーザ設定モードの設定状態では、ファン１７による風量を「停止」状態から「静音」→「標準」→「急速」の順番で風量を変更し、この「急速」状態で操作されると、「停止」に戻る。即ち、切タイマモードの実行状態およびユーザ設定モードの設定状態では、ユーザ設定モードを選択できない。
【００２３】
また、繰返操作部３１によるスイッチ２６ｂの操作は、風量設定状態中のユーザ設定モードの実行状態、および、切タイマモードの実行状態で受け付け、通常のマニュアルモードの実行状態では受け付けない。そして、ユーザ設定モードおよび切タイマモードの実行状態では、スイッチ２６ｂの操作の度に、オン（繰返表示部３７点灯）およびオフ（繰返表示部３７消灯）を順番に繰り返す。
【００２４】
また、設定操作部３２によるスイッチ２６ｃの操作は、いずれのモードも実行していない待機モード、および、該スイッチ２６ｃの操作によるユーザ設定モードの設定状態でのみ受け付け、他のモードを実行している状態では受け付けない。そして、待機モードでは、ユーザ設定表示部３８を点滅させ、後述するユーザ設定モードの設定状態に遷移する。また、ユーザ設定モードの設定状態では、この設定を終了および記憶する。但し、本実施形態では、誤操作による設定（クリア）を防止するために、スイッチ２６ｃを１秒以上継続して操作しなければ受け付けないように構成している。
【００２５】
また、切タイマ操作部３３によるスイッチ２６ｄの操作は、マニュアルモードの実行状態、および、ユーザ設定モードの設定状態で受け付け、待機モードの実行状態、ユーザ設定モードの実行状態、繰返モードの実行状態では受け付けない。そして、マニュアルモードの実行状態では、スイッチ２６ｄの操作の度に、オン（切タイマ表示部３９点灯）およびオフ（切タイマ表示部３９消灯）を順番に繰り返す。また、ユーザ設定モードの設定状態では、１秒未満の操作の場合には、その操作の度に液晶パネル２８の数値を「１」ずつ増加させ、１秒以上の継続操作の場合には、その操作が停止されるまで液晶パネル２８の数値を「１」ずつ連続的に増加させる。
【００２６】
次に、ユーザ設定モードの設定について具体的に説明する。
【００２７】
図６（Ａ）に示すように、設定操作部３２によるスイッチ２６ｃが１秒以上継続して操作されると、ユーザ設定表示部３８が点滅され、ユーザ設定モードの設定状態に移行したことを表示する。
【００２８】
この状態で、風量選択操作部３０によるスイッチ２６ａが操作されると、図６（Ｂ）に示すように、静音表示部３４が点滅（選択）される。そして、前述のように、このスイッチ２６ａが操作される度に、選択状態を標準、急速および停止（全消灯）の順番で変更し、次に再び静音が選択される。
【００２９】
また、停止を含む希望の風量を選択した状態で、切タイマ操作部３３のスイッチ２６ｄが操作されると、図６（Ｃ）に示すように、液晶パネル２８の数値が「１」増加される。なお、この数値は１０分単位である。
【００３０】
この状態で、スイッチ２６ａが操作されると、静音運転を１０分実行する設定が確定され、次に標準表示部３５が点灯する。また、スイッチ２６ｃが操作されると、ユーザ設定表示部３８が消灯され、それまでに設定した運転内容が確定される。
【００３１】
このようにユーザ設定モードの設定状態で、スイッチ２６ａ，２６ｄを操作することにより、ユーザの希望の風量を希望の時間で動作させることができる。例えば、図７に示すように、第１番目に急速運転を１０分実行させた後、第２番目に標準運転を１０分実行させる。その後、第３番目に静音運転を２０分実行させた後、第４番目に停止状態を３０分行う。最後に、第５番目に標準運転を３０分実行させるように設定することができる。
【００３２】
なお、本実施形態では、ユーザ設定モードは、設定可能な総合動作時間が９９０分であり、繰返モードの２４時間（１４４０分）より短くなるように設定している。因みに、切タイマモードは、１時間、２時間および４時間の３種である。
【００３３】
次に、スイッチ２６ａ〜２６ｄの操作によるマイコンの各モードの制御について説明する。具体的には、前記ユーザ設定モードの設定を除き、風量選択操作部３０を介してスイッチ２６ａが操作されることによる風量変更処理、切タイマ操作部３３を介してスイッチ２６ｄが操作されることによる切タイマモード、繰返操作部３１を介してスイッチ２６ｂが操作されることによる繰返モードの一部（記憶段階）が全て並行処理される。
【００３４】
具体的に、マニュアルモードとユーザ設定モードとを含む風量変更処理では、マイコンは、図８に示すように、ステップＳ１で、風量選択操作部３０を介してスイッチ２６ａが操作されるまで待機し、スイッチ２６ａの操作を検出するとステップＳ２に進む。
【００３５】
ステップＳ２では、繰返モードの実行中（記憶中を除く）であるか否かを検出する。そして、繰返モードの実行中である場合にはステップＳ３に進み、制御基板４０に実装した圧電ブザーなどによってエラー報知を行ってステップＳ１に戻る。また、繰返モードの実行中でない場合にはステップＳ４に進む。
【００３６】
ステップＳ４では、現状の動作が停止中であるか否かを検出する。そして、停止中である場合にはステップＳ５に進み、ファン１７を弱風（静音）運転させてステップＳ１に戻る。また、停止中でない場合にはステップＳ６に進む。
【００３７】
ステップＳ６では、現状の動作が弱風運転中であるか否かを検出する。そして、弱風運転中である場合にはステップＳ７に進み、ファン１７を中風（標準）運転させてステップＳ１に戻る。また、弱風運転中でない場合にはステップＳ８に進む。
【００３８】
ステップＳ８では、現状の動作が中風運転中であるか否かを検出する。そして、中風運転中である場合にはステップＳ９に進み、ファン１７を強風（急速）運転させてステップＳ１に戻る。また、中風運転中でない場合にはステップＳ１０に進む。
【００３９】
ステップＳ１０では、現状の動作が強風運転中であるか否かを検出する。そして、強風運転中である場合にはステップＳ１１に進み、強風運転中でない場合にはステップＳ１３に進む。ステップＳ１１では、切タイマモードの実行中であるか否かを検出する。そして、切タイマモードの実行中でない場合にはステップＳ１２に進み、切タイマモードの実行中である場合にはステップＳ１３に進む。
【００４０】
ステップＳ１２では、ファン１７をユーザ設定モード運転させてステップＳ１に戻る。また、ステップＳ１３では、ファン１７を停止させてステップＳ１に戻る。
【００４１】
なお、ステップＳ５の弱風運転、ステップＳ７の中風運転、ステップＳ９の強風運転は、スイッチ２６ａの操作により停止されるまで、または、切タイマによる設定時間が経過するまで、その風量の運転を継続するものである。
【００４２】
次に、ステップＳ１２のユーザ設定モード運転について具体的に説明する。
【００４３】
このユーザ設定モード運転では、マイコンは、図９に示すように、まず、ステップＳ１２−１で、記憶されているｎ番目設定を読み込む。なお、最初にこのサブルーチンに移行した際にはｎは１（１番目）とされている。
【００４４】
ついで、ステップ１２−２で、設定が存在するか否かを判断し、設定が存在しない場合にはステップ１２−３に進み、ファン１７を停止させてステップ１２−９に進む。また、設定が存在する場合にはステップ１２−４に進む。
【００４５】
ステップ１２−４では、ファン１７の風量を切り換えた後、ステップ１２−５で、動作時間の計測を開始する。その後、ステップ１２−６で、設定された動作時間が経過したか否かを検出する。そして、動作時間が経過した場合にはステップ１２−７に進み、ｎに１を加算（ｎ＝ｎ＋１）してステップ１２−１に戻る。また、動作時間が経過していない場合にはステップ１２−８に進む。
【００４６】
ステップ１２−８では、スイッチ２６ａによる風量変更操作の有無を検出する。そして、風量変更操作を検出しない場合にはステップ１２−６に戻り、風量変更操作を検出した場合にはステップ１２−９に進む。そして、このステップ１２−９では、ユーザ設定モード運転の動作段階のｎに１を入力（リセット）してリターンする。
【００４７】
次に、切タイマモードについて図１０を参照して説明する。なお、この切タイマモードにおいて、フラグｆａは、切タイマが動作中であるか否かを意味し、「１」が動作中、「０」が停止中であることを示す。
【００４８】
この切タイマモードでは、マイコンは、図１０に示すように、まず、ステップＳ２０で、切タイマ操作部３３を介してスイッチ２６ｄが操作されたか否かを検出する。そして、スイッチ２６ｄの操作を検出しない場合にはステップＳ２１に進み、操作を検出した場合にはステップＳ２２に進む。
【００４９】
ステップＳ２１では、ｆａが１であるか否かを検出する。そして、ｆａが１である場合にはステップＳ２７に進み、ｆａが１でない場合にはステップＳ１に戻る。
【００５０】
ステップＳ２２では、切タイマモードの現設定がオフ状態であるか否かを検出する。そして、オフ状態である場合にはステップＳ２３に進み、オン状態である場合にはステップＳ３２に進む。
【００５１】
ステップＳ２３では、切タイマ表示部３９のＬＥＤ２７を点灯させた後、ステップＳ２４で、スイッチ２６ｄの操作によってユーザが設定した時間を読み込む。そして、ステップＳ２５で、切タイマをリセットしてスタートさせた後、ステップＳ２６で、ｆａに１を入力してステップＳ２７に進む。
【００５２】
ステップＳ２７では、スイッチ２６ａの操作による風量変更操作の有無を検出する。そして、風量変更操作を検出した場合にはステップＳ２８に進み、風量変更操作を検出しない場合にはステップＳ３１に進む。
【００５３】
ステップＳ２８では、前記と同様の風量変更処理を実行した後、ステップＳ２９で、繰返モードにおける記録中であるか否かをフラグｆｃによって検出する。そして、記録中である場合にはステップＳ３０に進み、風量および変更時間などの変更情報を記憶させてステップＳ３１に進む。また、記憶中でない場合にはそのままステップＳ３１に進む。
【００５４】
ステップＳ３１では、計測中の切タイマがカウントアップしたか否かを検出する。そして、カウントアップしていない場合にはステップＳ１に戻り、カウントアップした場合にはステップＳ３２に進む。
【００５５】
ステップＳ３２では、切タイマをストップさせた後、ステップＳ３３で、ｆａに０を入力させる。そして、ステップＳ３４で、ファン１７を停止させた後、ステップＳ３５で、切タイマ表示部のＬＥＤ２７を消灯させてステップＳ１に戻る。
【００５６】
次に、繰返モードについて図１１および図１２を参照して説明する。なお、この繰返モードにおいて、フラグｆｂは、２４時間タイマが動作中であるか否かを意味し、「１」が動作中、「０」が停止中であることを示す。フラグｆｃは、繰返運転情報を記憶中であるか否かを意味し、「１」が記憶済状態、「０」が記憶中状態であることを示す。フラグｆｄは、ファン１７を制御することによる繰返空調処理の実行状態か非実行状態かを意味し、「１」が実行状態、「０」が非実行状態であることを示す。
【００５７】
この繰返モードでは、マイコンは、図１１に示すように、まず、ステップＳ４０で、繰返操作部３１を介してスイッチ２６ｂが操作されたか否かを検出する。そして、スイッチ２６ｂの操作を検出しない場合にはステップＳ４１に進み、操作を検出した場合にはステップＳ４４に進む。
【００５８】
ステップＳ４１では、ｆｂが１であるか否かを検出する。そして、ｆｂが０である場合、即ち、２４時間タイマが停止中の場合にはステップＳ４０に戻り、ｆｂが１である場合、即ち、２４時間タイマが動作中の場合にはステップＳ４２に進む。
【００５９】
ステップＳ４２では、ｆｃが０であるか否かを検出する。そして、ｆｃが１である場合、即ち、繰返運転情報の記憶済みの場合にはステップＳ４３に進み、ｆｃが０である場合、即ち、繰返運転情報の記憶中の場合には図１２に示すステップＳ５４に進む。
【００６０】
ステップＳ４３では、ｆｄが０であるか否かを検出する。そして、ｆｄが０である場合、即ち、繰返空調処理を実行中でない場合には図１２に示すステップＳ５８に進み、ｆｄが１である場合、即ち、繰返空調処理を実行中である場合には図１２に示すステップＳ６２に進む。
【００６１】
一方、ステップＳ４０でスイッチ２６ｂの操作を検出した場合、ステップＳ４４では、繰返モードの現設定がオフ状態であるか否かを検出する。そして、オン状態である場合にはステップＳ４５に進み、オフ状態である場合にはステップＳ４８に進む。
【００６２】
ステップＳ４５では、計測中の２４時間タイマをストップし、ステップＳ４６で、全てのフラグｆｂ，ｆｃ，ｆｄに０を入力した後、ステップＳ４７で、繰返表示部３７のＬＥＤ２７を消灯させてステップＳ４０に戻る。
【００６３】
ステップＳ４８では、切タイマモードの実行中であるか否かを検出する。そして、切タイマモードの実行中でない場合にはステップＳ４９に進み、切タイマモードの実行中である場合にはステップＳ５１に進む。
【００６４】
ステップＳ４９では、ユーザ設定モードの運転中であるか否かを検出する。そして、ユーザ設定モードの運転中でない場合にはステップＳ５０に進み、エラー報知を行ってステップＳ４０に戻る。また、ユーザ設定モードの運転中である場合にはステップＳ５１に進む。
【００６５】
ステップＳ５１では、２４時間タイマをリセットしてスタートし、ステップＳ５２で、ｆｂに１を入力した後、ステップＳ５３で、繰返表示部３７のＬＥＤ２７を点滅させて図１１に示すステップＳ５４に進む。なお、繰返表示部３７の点滅は、繰返運転情報の記憶中であることをユーザに示すためのものである。
【００６６】
図１２に示すように、ステップＳ５４では、切タイマモードまたはユーザ設定モードによる空調動作が終了したか否かを検出する。そして、空調動作が終了した場合にはステップＳ５５に進み、空調動作が終了していない場合には図１１のステップＳ４０に戻る。
【００６７】
ステップＳ５５では、切タイマモードまたはユーザ設定モードによる運転情報を記憶した後、ステップＳ５６で、ｆｃに１を入力する。その後、ステップＳ５７で、繰返表示部３７のＬＥＤ２７を点灯させて、繰返運転情報を記憶し、実行中であることをユーザに示す。
【００６８】
ついで、ステップＳ５８で、２４時間タイマがカウントアップしたか否かを検出する。そして、２４時間タイマがカウントアップした場合にはステップＳ５９に進み、カウントアップしていない場合には図１１のステップＳ４０に戻る。
【００６９】
ステップＳ５９では、次に同様に繰り返すために２４時間タイマをリセットしてスタートさせた後、ステップＳ６０で、記憶された運転情報を読み込む。その後、ステップＳ６１で、ｆｄに１を入力してステップＳ６２に進む。
【００７０】
ステップＳ６２では、記憶された運転情報に基づいた風量および動作時間でファン１７を動作させる繰返空調処理を実行させた後、ステップＳ６３で、この繰返空調処理による空調動作が終了したか否かを検出する。そして、空調動作が終了した場合にはステップＳ６４に進み、ｆｄに０を入力して図１１のステップＳ４０に戻る。また、空調動作が終了していない場合にはそのまま図１１のステップＳ４０に戻る。
【００７１】
このように、本発明の空気清浄機１０では、ユーザが選択した風量および時間で動作させるユーザ設定モードを設けているため、ユーザの希望通りの運転を実現できる。また、ガスセンサやダストセンサは搭載していないため、製品のコストダウンを図ることができる。
【００７２】
さらに、２４時間後に同一の動作を実行させる繰返モードを更に設けているため、毎日のように使用する場合に、１回設定すれば、その後は何ら操作を行うことなく動作させることができるため、利便性の向上を図ることができる。
【００７３】
なお、本発明の空気調和機は、前記実施形態の構成に限定されるものではなく、種々の変更が可能である。
【００７４】
特に、前記実施形態では、空気調和機の１つである空気清浄機１０を用いて説明したが、除湿機や加湿機などの他の空気調和機でも同様に適用しても、同様の作用および効果を得ることができる。
【図面の簡単な説明】
【００７５】
【図１】本発明の実施形態に係る空気調和機である空気清浄機を示す斜視図である。
【図２】図１の後方斜視図である。
【図３】図１の要部断面図である。
【図４】ベースの背面図である。
【図５】操作パネルの正面図である。
【図６】（Ａ），（Ｂ），（Ｃ）はユーザ設定モードの設定操作による表示状態を示す正面図である。
【図７】ユーザ設定モードによる設定の一例を示す図表である。
【図８】マイコンによる風量変更処理の制御を示すフローチャートである。
【図９】マイコンによるユーザ設定モード運転の制御を示すフローチャートである。
【図１０】マイコンによる切タイマモードの制御を示すフローチャートである。
【図１１】マイコンによる繰返モードの制御を示すフローチャートである。
【図１２】図１１の続きを示すフローチャートである。
【符号の説明】
【００７６】
１０…空気清浄機
１１…ケーシング（本体）
１７…ファン（送風手段）
１８…モータ（駆動手段）
２１…吸込口
２４…吹出口
２９…操作パネル
３０…風量選択操作部
３１…繰返操作部
３２…設定操作部
３３…切タイマ操作部
４０…制御基板
【図１】
2007333359.tif 000003
【図２】
2007333359.tif 000004
【図３】
2007333359.tif 000005
【図４】
2007333359.tif 000006
【図５】
2007333359.tif 000007
【図６】
2007333359.tif 000008
【図７】
2007333359.tif 000009
【図８】
2007333359.tif 000010
【図９】
2007333359.tif 000011
【図１０】
2007333359.tif 000012
【図１１】
2007333359.tif 000013
【図１２】
2007333359.tif 000014